(57)【特許請求の範囲】
【請求項１】
ベッドの長手方向の一端部に近接配置されるフレーム部と、このフレーム部に取り付けられ前記ベッドの長手方向一端側の脚部を載置する載置部と、前記フレーム部から上方に延設された滑車支持部に支持される滑車と、両端に足掛部が設けられ中間部が前記滑車に回し掛けられる紐状部材とを備えるとともに、前記フレーム部は、ベッドの幅方向に延在するフレーム本体と、このフレーム本体の両端に対向状に配設される一対の側方支持体とからなり、前記一対の側方支持体の間隔はベッド幅に応じて拡縮可能に構成され、さらに前記載置部は、前記一対の側方支持体にそれぞれ設けられていることを特徴とするベッド付設用の運動具。
【請求項２】
フレーム部に着脱自在に取り付けられ、上下方向に伸縮可能な支柱により構成された滑車支持部に、滑車が支持されていることを特徴とする請求項１に記載のベッド付設用の運動具。
【発明の詳細な説明】
【０００１】
【発明の属する技術分野】
本発明は、ベッドに仰向けに寝たまま足腰の運動を行うことが可能な、ベッド付設用の運動具に関するものである。
【０００２】
【従来の技術】
従来、足や腰などの疲労回復や機能回復等を図るための運動具であって、使用者が仰向けに寝ることができる台の一端側に、滑車を適宜の高さに支持するとともに、両端に足掛部が設けられた紐状部材（ロープ等）を前記滑車に回し掛けた運動具は知られている（例えば特開２０００−１６７０８２号公報参照）。こうした運動具を用いる場合、台の上に仰向けに寝た使用者が両足の足首をそれぞれ紐状部材の足掛部に掛止して、両足を交互に動かすような運動を行う。
【０００３】
【発明が解決しようとする課題】
ところで、前記のような運動具を用いた運動は、足腰の丈夫な者にはさほど必要なく、むしろ高齢者や、怪我や病気のリハビリテーションをしている患者のように、自力での歩行が困難で、普段は病院や家庭のベッドに寝ているような者にこそ必要な場合が多い。
【０００４】
しかしながら、ベッドに寝ている者が前記従来の運動具を使用するには、先ずベッドから運動具の台の上に移動しなければならず、その移動に困難や苦痛が伴ったり、他者の介助を必要としたりする場合もあった。したがって、本人が運動をしたいと思ったときに、容易に運動を始められるとは限らず、利便性に欠けるという問題があった。
また、従来の運動具は少なくとも使用者が仰臥できる台を有していて、設置や保管に広いスペースを必要とするため、例えば狭い病室等に持ち込んで使用することができないという問題もあった。
【０００５】
本発明は以上のような問題点に鑑みてなされたものであって、ベッドに寝たまま使用することができ、且つ、広い設置スペースを必要とすることもないベッド付設用の運動具を提供することを目的とするものである。
【０００６】
【課題を解決するための手段】
前記目的を達成するため、本発明に係るベッド付設用の運動具は、ベッドの長手方向の一端部に近接配置されるフレーム部と、このフレーム部に取り付けられ前記ベッドの長手方向一端側の脚部を載置する載置部と、前記フレーム部から上方に延設された滑車支持部に支持される滑車と、両端に足掛部が設けられ中間部が前記滑車に回し掛けられる紐状部材とを備えるとともに、前記フレーム部は、ベッドの幅方向に延在するフレーム本体と、このフレーム本体の両端に対向状に配設される一対の側方支持体とからなり、前記一対の側方支持体の間隔はベッド幅に応じて拡縮可能に構成され、さらに前記載置部は、前記一対の側方支持体にそれぞれ設けられているものである。
【０００７】
また、前記の構成において、フレーム部に着脱自在に取り付けられ、上下方向に伸縮可能な支柱により構成された滑車支持部に、滑車が支持されているものである。
【０００８】
【発明の実施の形態】
以下、本発明の一実施形態に係るベッド付設用の運動具を図面に基づいて説明する。
【０００９】
図中に全体を符号１で示されるベッド付設用の運動具（以下、単に「運動具」と称する）は、主として、フレーム部２と、このフレーム部２により立設状態に支持される支柱３と、この支柱３の上端部に支持される滑車４と、この滑車４に回し掛けられるロープ（紐状部材）５とから構成されている。
【００１０】
フレーム部２は、後述する設置状態においてベッドの幅方向に延在するフレーム本体６と、このフレーム本体６の両端に対向状に配設される左右一対の側方支持体７，７とで構成されている。
図２，図３に示すように、フレーム本体６は、左右両端の上部にアールが付いた横長の略長方形状をなす周枠８と、この周枠８の上辺８ａと下辺８ｂとを連結して設けられた左右一対の補強杆９，９とを有している。これら周枠８及び補強杆９は、断面正方形状の鋼製の角パイプ材から形成されている。
【００１１】
また、フレーム本体６は、その背面側に、上側の支持筒１０及び下側の支持筒１１を左右一対ずつ有している。各支持筒１０，１１は、周枠８及び補強杆９に用いたものよりも若干太い鋼製の角パイプ材から互いに等しい長さに形成され、その筒心方向を水平にした状態で、周枠８及び補強杆９に溶接して固定されている。それぞれが対をなす、支持筒１０，１０と、支持筒１１，１１とは、互いに等しい幅の間隙１２，１３を隔てて、その内端部同士が対向している。また、各支持筒１０，１１は、後述する摺動杆１７，１８を挿入できるように、それぞれの外端部が開口している。
【００１２】
符号１４は、各支持筒１０，１１の所定位置の上面に溶接されたナットを示している。各ナット１４には蝶ネジ１５が螺合されている。また、図示を省略するが、各支持筒１０，１１の上面壁には、各ナット１４のネジ孔と合致する貫通孔が穿設されており、各蝶ネジ１５を締め込むと、その先端部が前記貫通孔を通じて支持筒１０，１１内部へ突き出すようになっている。
【００１３】
図４及び図５は、左右一対の側方支持体７，７のうち、正面から見てフレーム本体６の右側に位置する側方支持体７を示している。この側方支持体７は、図５に示すように、二辺が直交し、斜辺に相当する部分が円弧状に湾曲した略々直角三角形の環状をなす枠部材１６と、この枠部材１６の片面に水平に突設された上下一対の摺動杆１７，１８とを備えてなる。摺動杆１７，１８は、フレーム本体６の支持筒１０，１１に摺動自在に挿入し得る太さの角パイプ材からなり、摺動杆１７は枠部材１６の側辺１６ａの上端部に、摺動杆１８は側辺１６ａの下端近傍部に、それぞれネジ１９を用いて固定されている。上下の摺動杆１７，１８の間隔（ピッチ）は、フレーム本体６における上下の支持筒１０，１１の間隔（ピッチ）と等しく設定されている。
【００１４】
また、枠部材１６の下辺１６ｂの後端近傍部には、適宜な厚さの鋼板を側面視Ｌ字状に折り曲げて形成された板部材２０が、ネジ２１を用いて取り付けられている。そして、この板部材２０の、前記摺動杆１７，１８と同じ方向に突出した水平部分により、後述する設置状態においてベッドの脚部を載置する載置部２２が構成されている。枠部材１６の前端部底面にはアジャスト脚２３が設けられている。このアジャスト脚２３は枠部材１６に形成されたネジ孔（不図示）と螺合しており、正逆方向に回動することにより枠部材１６底面からの突出量を調節できるようになっている。
なお、フレーム本体６左側の側方支持体７は、図４，図５に示した右側の側方支持体７と左右対称に形成されているため、説明を省略する。
【００１５】
図６（ａ），（ｂ）、支柱３を示している。支柱３は、四角筒状の外筒２４と、この外筒２４の上端開口から内部に摺動自在に挿入された四角筒状の内筒２５とから、上下方向に伸縮可能に構成されている。
すなわち、外筒２４上部の前面に、間隔をおいて上下一対のナット２６，２６が溶接されるとともに、各ナット２６のネジ孔と合致する貫通孔（不図示）が外筒２４に穿設されており、各ナット２６に螺合した蝶ネジ２７の先端部が、前記貫通孔を通じて外筒２４内部に突出し、内筒２５を押圧するようになっている。したがって、各蝶ネジ２７を緩めた状態で内筒２５を上下に摺動させて、支柱３を所望の高さとした後、各蝶ネジ２７を締め込むことにより、内筒２５をその高さ位置に固定可能となっている。
【００１６】
図６（ａ）に示した外筒２４の横幅Ｗは、前記フレーム本体６における間隙１２，１３の幅よりも僅かに小さい寸法に設定されている。また、外筒２４の前面には、側面視において横Ｌ字状の掛止具２８，２９が突設されている。上側の掛止具２８と下側の掛止具２９との間隔（ピッチ）は、前記フレーム本体６における周枠８の上辺８ａと下辺８ｂとの間隔（ピッチ）と等しく設定されている。
【００１７】
内筒２５の上端には前方へ突出する支持板３０が固設され、この支持板３０の下面にＪ字状のフック３１が、その湾曲端部を後方に向けて固設されている。そして、このフック３１に滑車４が掛止されている。
【００１８】
前記滑車４に中間部を回し掛けられるロープ５の両端には、図７に示すような足掛部３２がそれぞれ設けられている。
すなわち、足掛部３２は、ロープ等の紐状部材により一体に形成された足掛環３３及び連結部３４と、連結部３４の一端側に取り付けられたスナップ金具３５とを有し、足掛環３３には、布や合成樹脂等の可撓性材料からなる一対のバンド３６ａ，３６ｂが対向状に装着されている。これらのバンド３６ａ，３６ｂは、互いに係脱自在な面ファスナ３７ａ，３７ｂを備えている。
【００１９】
足掛環３３の一部分はスポンジ等のクッション材３８により被覆されるとともに、連結部３４には、中央部が縊れた略円筒状をなす指掛部材３９が装着されている。また、スナップ金具３５は、レバー３５ａを操作することにより開閉できる環状のフック部３５ｂを備えている。そして、このフック部３５ｂをロープ５の先端に形成された環状部５ａに掛止することにより、以上のように構成された足掛部３２が、ロープ５に着脱可能に取り付けられている。
【００２０】
次いで、以上に説明した運動具１の設置状態及び使用状態を説明する。
設置に際しては、先ず、フレーム本体６の両端に左右の側方支持体７，７をそれぞれ取り付ける。すなわち、支持筒１０に摺動杆１７を、支持筒１１に摺動杆１８を、それぞれ挿入して、図１のように平面視コ字状のフレーム部２を構成する。そして、左右の側方支持体７，７の間隔がベッドの幅よりも僅かに広くなるように調節した後、合計４箇所の蝶ネジ１５を締め込んで、フレーム本体６と側方支持体７，７とを固定する。
【００２１】
また、フレーム部２には支柱３を取り付ける。ここでは、支柱３の外筒２４をフレーム本体６の、支持筒１０，１０間の間隙１２及び支持筒１１，１１間の間隙１３に嵌め込んだ状態で、周枠８の上辺８ａに係止具２８を、下辺８ｂに掛止具２９を、それぞれ掛止させる。これにより、外筒２４が各支持筒１０，１１の対向する内端部間に挟持されることになって、支柱３は直立状態に保持される。
【００２２】
そして、ベッドの長手方向一端側（ここでは頭載置側）を僅かに持ち上げ、この側の左右の脚部をそれぞれ、左右の載置部２２上に載置する。以下、この設置状態を図８を参照しつつ説明する。図８において、符号５０はベッドを、５１はベッドのフレームを、５２はマットレスを、５３は頭載置側の脚部を、５４は下肢載置側の脚部を、５５はベッド５０を置いた部屋の床面を、それぞれ示している。この設置状態では、運動具１のフレーム部２がベッド５０の頭載置側に近接配置され、そのフレーム本体６がベッド５０の幅方向に延在している。また、ベッド５０の頭載置側の脚部５３が、側方支持体７から内方に延出した載置部２２の上に載置されている。なお、図８にはベッド５０から運動具１に向かって右側の状態を示したが、左側もこれと同様であり、運動具１は左右の載置部２２がそれぞれベッド５０の脚部５３で上方から押さえ込まれているために、容易に動いたり倒れたりしない、しっかりとした設置状態となっている。
【００２３】
なお、支柱３の高さは、運動具１の設置前又は設置後に、ベッド５０の高さ及び使用者の身長等に応じて適宜に調節し、蝶ネジ２７を締め込んで、その高さに固定しておく。また、ロープ５は、いずれか一方の足掛部３２（スナップ金具３５から先の部分）を取り外した状態で、滑車４の挿通部４ａ（図６（ｂ）参照）に挿通し、その後、外した足掛部３２を取り付けておく。
【００２４】
以上のように設置した運動具１を使用するに際しては、先ず、使用者の両足を足掛部３２にそれぞれ掛止する。ここでは、図９に示すように、足の裏側から踵部を足掛環３３に入れた後、バンド３６ａ，３６ｂを足の甲の側に回し、面ファスナ３７ａ，３７ｂを相互に掛止して、バンド３６ａ，３６ｂを連結する。そして、指掛部材３９を足の親指と人差指との間に挟み込む。
【００２５】
こうして両足を足掛部３２に掛止した状態で、図８に示すように使用者がベッド５０のマットレス５２上に仰臥し、膝関節をできるだけ伸ばしながら、両足を交互に上下させる。この際、図８に矢印で示したように、上げていた一方の足を下ろしてゆくに伴い、ロープ５が矢印方向に移動し、それにより他方の足が引き上げられてゆく。したがって、使用者の足腰が弱っている場合でも、足をほぼ水平な位置とほぼ垂直な位置との間で上下運動させることが容易にでき、足腰の筋力強化、疲労回復、機能回復、腰痛の予防及び治療等を図ることが極めて好適に行える。
【００２６】
以上に説明した、この実施形態の運動具１によれば、以下のような効果が奏される。すなわち、例えば普段はベッドに寝ているような患者や高齢者が使用する場合でも、従来の運動具を使用する場合のようにベッドから運動具の台の上に移動する必要がなく、ベッドに寝たままで運動を行える。したがって、移動のための困難や苦痛を感じることがなく、他者の介助を必要とすることもなく、本人が運動をしたいと思ったときに、速やかに且つ容易に運動を開始することができ、極めて便利である。また、クッション性に富んだベッドのマットレス上で運動するため、運動中に腰や背中に負担がかかることを防止できる。
【００２７】
また、従来の運動具のように使用者が仰臥できる台は有しておらず、ベッドの長手方向一端側の極めて小さいスペースに設置できるので、例えば狭い病室等に持ち込んで使用することもでき、しかも、設置状態のままでもベッド使用の邪魔になることがないため、使用の都度運動具を設置したり片付けたりする必要がなく、使用者に負担をかけることがない。
【００２８】
また、側方支持体７，７の間隔を変えられるので、幅が異なる各種のベッドに付設して使用することができ、しかも、支柱３を伸縮できるので、ベッド（マットレス上面）の高さや使用者の身長等に応じて滑車４の高さ位置を調節して、常に最適な状態で運動を行えるという効果も奏される。
【００２９】
さらに、使用中にはロープ５の張力が足首にかかるが、この運動具１では足掛部３２におけるクッション材３８が踵を保護するとともに、指掛部材３９によりロープ（連結部３４）と指との摩擦が防止されるため、使用者が痛みを感じることはなく、しかも、バンド３６ａ，３６ｂで足掛環３３と足首とが固定されているために、足掛部３２から足首が不用意に外れてしまうというような不都合も防止できる。
【００３０】
また、載置部２２がベッドの重量により下向きに押さえ付けられているので、使用時にロープ５の張力で滑車４が引っ張られても、それによりフレーム部２や支柱３がぐらつくようなことはなく、安定した使用状態が得られる。
【００３１】
なお、本発明が前記の実施形態に限定されないことは言うまでもなく、例えば前記では運動具１をベッドの頭載置側に設置したが、ベッドの下肢載置側に運動具を設置しても構わない。
また、前記では側方支持体７，７を蝶ネジ１５によりフレーム本体６に固定したが、側方支持体の固定手段がそれに限られることはなく、例えば摺動杆１７，１８にその長手方向に適宜間隔をおいて複数のピン孔を形成するとともに、支持筒１０，１１にもピン孔を形成しておき、支持筒１０，１１のピン孔から差し込んだピンを摺動杆１７，１８のいずれかのピン孔に挿通するというような手段も採用し得る。
【００３２】
さらに、前記では本発明にいう「滑車支持部」を支柱３により構成したが、滑車支持部は必ずしも支柱でなくてもよく、例えばフレーム部を上方に延長して、その延長した部分で滑車を支持する（すなわち、フレーム部と滑車支持部とを一体に形成する）ような構成も考えられる。
【００３３】
さらにまた、足掛部の構成も任意であり、例えば図１０に示したような足掛部を用いることもできる。図１０（ａ）は足掛部の斜視図、同図（ｂ）は足掛部への足の掛止状態を説明する斜視図である。この足掛部４１は、皮革、布、軟質合成樹脂等の可撓性材料からなる足掛部材４２と、金属等から環状に形成された一対の連結具４３，４３とを備えている。足掛部材４２は、足の裏と、踵のやや上方の部分とを掛止するための、互いに直交状に傾斜した一対の帯状部４５，４５を有するとともに、これら帯状部４５，４５が両端部で互いに連結され、その連結部に、上向きに細くなる連設部４６，４６がそれぞれ連設されている。また、帯状部４５，４５間には、踵を逃がすための孔４４が形成されている。そして、連設部４６，４６の上端に前記連結具４３，４３がそれぞれ設けられている。
【００３４】
この足掛部４１は、前記足掛部３２に代えてロープ５の両端に、直接又は前記と同様のスナップ金具３５等を介して取り付けられる。図１０（ｂ）は足掛部４１に足を掛けて使用する状態を示しており、この図から明らかなように、一対の連結具４３，４３を一まとめにしてロープ５に連結した状態で、一方の帯状部４５を足裏の土踏まずの部位に、他方の帯状部４５を足の踵よりも僅かに上方の部位に、それぞれ掛けた状態とする。そして、使用者は、このように両足をそれぞれ足掛部４１に掛止した状態で、前記と同様にベッドに仰臥し、両足を交互に上下させる運動を行う。
【００３５】
前記足掛部３２では一対のバンドを面ファスナで連結する作業が必要であったが、この足掛部４１ではそうした作業の必要はなく、ロープ５の端部にＵ字状に吊り下げられた足掛部材４２の内側に足首を差し入れるだけで使用可能な状態となる。したがって、足掛部への足の係脱を極めて容易に行うことができ、高齢者や怪我・病気の後遺症等で身体が不自由な人も手軽に使用できる運動具が得られる。また、ロープ５の張力は、幅の広い帯状部４５，４５を介して足首にかかるため、力が広い面積に分散され、使用中に足の一部が痛くなることもない。さらに、使用中は踵が孔４４に嵌まり込んだ状態となっているため、足掛部４１から足首が不用意に外れてしまうこともない。
【００３６】
【発明の効果】
以上説明したように、本発明に係るベッド付設用の運動具によれば、寝室や病室に置いてあるベッドに付設して足を上下する運動を行えるので、ベッドに寝たまま使用することができ、しかも、狭いスペースにも設置できるというように、従来の運動具では得られなかった種々の効果が奏される。
【図面の簡単な説明】
【図１】 本発明の一実施形態に係るベッド付設用の運動具の斜視図である。
【図２】 フレーム本体の正面図である。
【図３】 図２のフレーム本体の右側面図である。
【図４】 一方の側方支持体の正面図である。
【図５】 図４の側方支持体の右側面図である。
【図６】 支柱を示す図であって、図６（ａ）は正面図、図６（ｂ）は右側面図である。
【図７】 主として足掛部を示す斜視図である。
【図８】 図１の運動具の設置状態及び使用状態を説明する側面図である。
【図９】 図７の足掛部への足の掛止状態を説明する斜視図である。
【図１０】 足掛部の別の実施形態を示す図であって、図１０（ａ）は斜視図、図１０（ｂ）は足掛部への足の掛止状態を説明する斜視図である。
【符号の説明】
１ ベッド付設用の運動具
２ フレーム部
３ 支柱（滑車支持部）
４ 滑車
５ ロープ（紐状部材）
６ フレーム本体
７ 側方支持体
２２ 載置部
３２ 足掛部
４１ 足掛部
【図１】
0003692286.tif 000002
【図２】
0003692286.tif 000003
【図３】
0003692286.tif 000004
【図４】
0003692286.tif 000005
【図５】
0003692286.tif 000006
【図６】
0003692286.tif 000007
【図７】
0003692286.tif 000008
【図８】
0003692286.tif 000009
【図９】
0003692286.tif 000010
【図１０】
0003692286.tif 000011